(57)【特許請求の範囲】
【請求項１】
一枚のプレートから構成されるオブラート支持容器であって、
該プレートには、その幅方向において左右に二等分する中央折曲線と、その高さ方向において下方に第１プレート部及び上方に第２プレート部に二等分する重合折曲線とが設けられてなり、
前記第１プレート部の前記無接合部分の上端には円弧状の突出部が設けられるとともに、前記第２プレート部の前記無接合部分の上端には舌片を突出させてなり、
第１プレート部と第２プレート部とを、容器の内表面が谷折りとなるように、折曲可能な中央折曲線を互いに対向させ、
かつ該中央折曲線の基端部から先端部に向けて漸次幅が広くなる無接合部分を残して第１プレート部および第２プレート部を相互に接合し、
さらに少なくとも前記第１プレート部において前記第２プレート部との接合部分と前記無接合部分との境界となる位置に、上記中央折曲線と上記重合折曲線との交点を通過せず、当該中央折曲線から左右方向にそれぞれ僅かずつずれている補助折曲線を設けて成り、
前記第２プレート部をその中央折曲線に沿って折り曲げた場合に、前記補助折曲線を介して前記第１プレート部をその中央折曲線に沿って折り曲げることによりこれら第１プレート部の無接合部分と第２プレート部の無接合部分との相互間に下方に向けて凸となる錐状の収容部を画成するとともに、
上記重合折曲線を介して自立させるようにしたことを特徴とする、オブラート支持容器。
【発明の詳細な説明】
【０００１】
【発明の属する技術分野】
本発明は、容器に関するもので、特に、予めコーン状に成形されたオブラートを支持するための支持容器として用いた場合に好適な容器に関する。
【０００２】
【従来の技術】
オブラートは、周知のように粉末状や顆粒状等の飲み下しにくい薬を包んで、これを服用するときに用いられるものである。従前においては、矩形、もしくは円形のフィルム状のものが用いられていたが、昨今においては、薬をより包みやすくするために予めコーン状に成形されたものも提供されている。すなわち、コーン状を呈するオブラートにあっては、既に一端が閉塞された袋状となっているため、その内部に薬を入れれば、他端の開口を閉じるだけで薬を包み込むことができるようになるのである。
【０００３】
上記のようなコーン状のオブラートは、自立することができないため、通常、これを支持する支持容器とともにパッケージ化して販売されている。
【０００４】
この種の支持容器Ａ，Ｂとしては、例えば図４や図５に示すように、矩形状の紙製プレートＡ′，Ｂ′に支持用の孔ａ１，ｂ１を形成するとともに、この孔ａ１，ｂ１の周囲に適宜切り込み線ａ２，ｂ２を形成したものが一般的である。
【０００５】
これらの支持容器Ａ，Ｂは、図４（ａ）および図５（ａ）に示すように、通常状態においてはいずれも１枚のプレート状を呈するため、オブラートＣとともに梱包容器（図示せず）に収容しておくことができる。
【０００６】
一方、支持容器Ａ，Ｂを組み立てれば、図４（ｂ）および図５（ｂ）に示すように、それぞれが立体化してオブラート収容部Ｄを画成するようになる。こうして組み立てられた支持容器Ａ，Ｂを適用した場合には、オブラート収容部ＤにオブラートＣを収容させることで当該オブラートＣを立った姿勢に保持することができ、使用者が両手を使うことが可能となるため、当該オブラートＣに薬を入れる作業が極めて容易となる。
【０００７】
薬を服用した後においては、先とは逆の手順で分解すれば、支持容器Ａ，Ｂが再びプレート状を呈するようになり、梱包容器（図示せず）に収容しておくことができる。
【０００８】
【発明が解決しようとする課題】
しかしながら、従来の支持容器Ａ，Ｂにあっては、オブラート収容部Ｄを画成するために、多数の切り込み線ａ２，ｂ２に沿って各部を引き起こし、さらにそれらを適宜箇所で折り曲げたり、切り込み同志を嵌め合わなければならない等、その組立作業性に関して必ずしも良好なものとはいえない。しかも、完成後の支持容器Ａ，Ｂにおいては、オブラート収容部Ｄの形状が複雑であるため、たとえ組立説明書が添付されていたとしても各部の引き起こし方や折り曲げ方が把握しづらく、組立作業の煩雑化を一層助長することになる。
【０００９】
また、多数の切り込み線ａ２，ｂ２を形成した支持容器Ａ，Ｂにおいては、オブラート収容部Ｄを画成する各部が強度的に十分であるとはいえず、耐久性の点でも問題がある。
特に、通常のパッケージでは、オブラートＣが数百枚程度、少なくとも５０枚程度の単位で梱包されており、このオブラートＣの梱包数だけ支持容器Ａ，Ｂの組立・分解作業を実施しなければならないものである。従って、こうした支持容器Ａ，Ｂにあっては、組み立てる際の作業性およびその耐久性をいかに向上させるかが重要な課題となる。
【００１０】
本発明は、上記実情に鑑みて、組み立てる際の作業性および耐久性を向上させることのできる容器を提供することを解決課題とする。
【００１１】
【課題を解決するための手段】
本発明は上記の課題を解決するためのもので、請求項１の発明は、一枚のプレートから構成されるオブラート支持容器であって、該プレートには、その幅方向において左右に二等分する中央折曲線と、その高さ方向において下方に第１プレート部及び上方に第２プレート部に二等分する重合折曲線とが設けられてなり、 前記第１プレート部の前記無接合部分の上端には円弧状の突出部が設けられるとともに、前記第２プレート部の前記無接合部分の上端には舌片を突出させてなり、 第１プレート部と第２プレート部とを、容器の内表面が谷折りとなるように、折曲可能な中央折曲線を互いに対向させ、かつ該中央折曲線の基端部から先端部に向けて漸次幅が広くなる無接合部分を残して第１プレート部および第２プレート部を相互に接合し、さらに少なくとも前記第１プレート部において前記第２プレート部との接合部分と前記無接合部分との境界となる位置に、上記中央折曲線と上記重合折曲線との交点を通過せず、当該中央折曲線から左右方向にそれぞれ僅かずつずれている補助折曲線を設けて成り、前記第２プレート部をその中央折曲線に沿って折り曲げた場合に、前記補助折曲線を介して前記第１プレート部をその中央折曲線に沿って折り曲げることによりこれら第１プレート部の無接合部分と第２プレート部の無接合部分との相互間に下方に向けて凸となる錐状の収容部を画成するとともに、上記重合折曲線を介して自立させるようにしたことを特徴とする。
【００１２】
【発明の実施の形態】
以下、実施の形態を示す図面に基づいて本発明を詳細に説明する。図１は、本発明のオブラート支持容器を説明するための説明図である。すなわち、本発明のオブラート支持容器の構成から、第１プレート部の無接合部分の上端に設けられる円弧状の突出部と、第２プレート部の無接合部分の上端に突出させる舌片を省略した構成のオブラート支持容器を図示するものである。ここで例示する容器は、従前のものと同様に、予めコーン状に成形されたオブラートＣを立った状態に保持するためのもので、１枚の矩形状を成す紙製プレート１０を適宜折り曲げるとともに、適所を貼着することによって構成したオブラート支持容器である。
【００１３】
すなわち、このオブラート支持容器では、図１（ａ）に示すように、まず、縦長矩形状を成す１枚の紙製プレート１０に中央折曲線１１、重合折曲線１２および一対の補助折曲線１３を設ける。
【００１４】
中央折曲線１１は、紙製プレート１０をその幅方向において左右に二等分する位置に設けた折曲線であり、また重合折曲線１２は、紙製プレート１０をその高さ方向において上下に二等分する位置に設けた折曲線である。これら中央折曲線１１および重合折曲線１２は、例えば大型の原紙からプレス切断機により多数の紙製プレート１０を打ち抜く際に同時に押圧成形されるもので、紙製プレート１０の一方の表面がいずれも谷折りとなるように設けてある。なお、以下においては、紙製プレート１０において重合折曲線１２により上下に分割された部分のうち、下方に位置するものを第１プレート部１０ａ、上方に位置するものを第２プレート部１０ｂとそれぞれ称する。
【００１５】
一方、補助折曲線１３は、上述した中央折曲線１１と重合折曲線１２との交点を通過し、かつ紙製プレート１０の上下両端縁においてそれぞれ中央折曲線１１から等間隔となる位置で終端するＸ字状の折曲線である。これら一対の補助折曲線１３は、破線状に切り込みを施すようにした、いわゆるミシン目によって構成したもので、例えば上述した中央折曲線１１および重合折曲線１２と同様に、大型の原紙からプレス切断機により多数の紙製プレート１０を打ち抜く際に同時に成形するようにしている。
【００１６】
この紙製プレート１０に対しては、次いで、一対の補助折曲線１３よりも左右方向において外側となる部位（図１（ａ）中の斜線で示す部位）にそれぞれ貼着材を塗布した後、重合折曲線１２を介して２つに折り曲げ（図１（ａ）中の矢印Ｘ）、中央折曲線１１の互いに谷折りとなる表面を介して第１プレート部１０ａと第２プレート部１０ｂとを互いに接合すれば、図１（ｂ）に示すようなオブラート支持容器１０′が完成する。
【００１７】
上記のように構成したオブラート支持容器１０′では、第１プレート部１０ａと第２プレート部１０ｂとが、補助折曲線１３よりも内方となる部分を残して、つまり上方に向けて漸次幅が広くなる無接合部分１４を残して相互に貼着され、かつ中央折曲線１１を相互に対向させた状態で１枚のプレート状を呈するようになる。
【００１８】
従って、この状態においては、図２に示すように、オブラートＣとともに梱包容器Ｅに収容させ、１つのパッケージとして販売することが可能になる。この場合、上記オブラート支持容器１０′によれば、従前のもののように孔等の欠損部を有したものではなく、矩形状を呈するものであるから、その表裏両面に商標等の表示、あるいは梱包量、成分表、取扱説明書、注意書き等々の記述を施すことができる。この結果、梱包容器Ｅに別途これらを記載した紙片を収容させる必要がなくなり、パッケージの小型化や軽量化を図ることが可能になる。
【００１９】
一方、上記オブラート支持容器１０′を使用する場合には、図１（ｃ）に示すように、第２プレート部１０ｂをその中央折曲線１１に沿って折り曲げるとともに、一対の補助折曲線１３を介して第１プレート部１０ａをその中央折曲線１１に沿って折り曲げればよい。
【００２０】
この状態においては、第１プレート部１０ａの無接合部分１４と第２プレート部１０ｂの無接合部分１４との間に下方に向けて凸となる四角錐状のオブラート収容部１５が画成されることになる。しかも、第１プレート部１０ａおよび第２プレート部１０ｂが上面視Ｖ字状となるため、それぞれの下端縁、つまり重合折曲線１２で折り曲げた縁を介して自立するようになる。
【００２１】
従って、使用者は、オブラート収容部１５にオブラートＣを収容させることで当該オブラートＣを立った姿勢に保持することができ、両手を使って当該オブラートＣに薬を入れることができるようになる。
【００２２】
薬を服用した後においては、第１プレート部１０ａの中央折曲線１１と第２プレート部１０ｂの中央折曲線１１とを互いに接し合わせるようにすれば、図１（ｂ）に示すように、オブラート支持容器１０′が再び１枚のプレート状を呈するようになり、梱包容器Ｅに収容しておくことができる。
【００２３】
以上説明したように、上記オブラート支持容器１０′では、第１プレート部１０ａおよび第２プレート部１０ｂを単に折曲線１１，１３に沿って折り曲げれば、オブラート収容部１５を画成することができるため、その組立作業を容易に行うことが可能である。しかも、完成後のオブラート支持容器１０′は、オブラート収容部１５が極めて単純な形状であるから、組立説明書を添付せずとも各折曲線１１，１３の折り曲げ態様を容易に把握することができ、組立作業を一層容易化する要因となる。
【００２４】
さらに、第１プレート部１０ａおよび第２プレート部１０ｂに切り込み線を設けておらず、無接合部分１４となる２つの面板部分によってオブラート収容部１５を画成するようにしているため、強度的にも十分であり、耐久性の点でも優れる。従って、パッケージに数百枚程度のオブラートＣが梱包されている場合にも、最後までオブラート支持容器１０′を繰り返し使用することが可能になる。
【００２５】
なお、上述した説明図のオブラート支持容器では、第１プレート部１０ａおよび第２プレート部１０ｂがそれぞれ矩形状を成すオブラート支持容器１０′を例示しているが、本発明では必ずしも第１プレート部１０ａおよび第２プレート部１０ｂが矩形状である必要はない。
【００２６】
例えば、図３に示す本発明に係る第１実施形態のオブラート支持容器２０′では、第１プレート部２０ａにおいて無接合部分２４の上端となる位置に円弧状の突出部２６を設ける一方、第２プレート部２０ｂにおいて無接合部分２４の上端となる位置の中央部に舌片２７を突出させるようにしている。また、このオブラート支持容器２０′の補助折曲線２３は、中央折曲線２１と重合折曲線２２との交点を通過せず、当該中央折曲線２１から左右方向にそれぞれ僅かずつずれている。
【００２７】
こうした第１実施形態によれば、第２プレート部２０ｂをその中央折曲線２１に沿って折り曲げるとともに、一対の補助折曲線２３を介して第１プレート部２０ａをその中央折曲線２１に沿って折り曲げれば、上述した突出部２６によりオブラート収容部２５の上縁がより高い位置となり、オブラートＣをより安定した状態で保持することができるようになる。しかも、第２プレート部２０ｂをその中央折曲線２１に沿って折り曲げた場合にも、オブラート支持容器２０′の下端が３つの縁部２２ａ，２２ｂ，２２ｃを構成することになるため、より安定した姿勢で自立するようになる。さらに、オブラート収容部２５にオブラートＣを収容させた後、上述した舌片２７を内方に向けて折り返せば、オブラート収容部２５に対するオブラートＣの不用意な移動を防止し、薬がより入れ易くなる。
【００２８】
なお、上述した説明図のオブラート支持容器および第１実施形態では、いずれも１枚の紙製プレート１０、２０に第１プレート部１０ａ，２０ａおよび第２プレート部１０ｂ，２０ｂを設け、重合折曲線１２，２２に沿って折り曲げることにより両者を接合させるようにしている。
【００３４】
また、上述した実施形態は、紙製の容器を例示しているが、必ずしも紙製である必要はなく、折曲可能な材質であれば、その他のもので構成することも可能である。なお、収容部を構成する無接合部分には、中央折曲線のみを設けるようにしているが、さらに複数の折曲線を付加すれば、より円錐に近い収容部を構成することも可能である。また、第２プレート部にも補助折曲線を設けるようにしているが、補助折曲線は第１プレート部に設ければ十分である。
【００３５】
【発明の効果】
以上説明したように、本発明によれば、第１プレート部および第２プレート部を単に折曲線に沿って折り曲げれば、収容部を画成することができるため、従前の如く、切り込み線に沿って引き起こした後に各部を折り曲げるような作業が不要であり、その組立作業を容易に行うことが可能である。しかも、完成後の収容部は、極めて単純な形状であるから、たとえ組立説明書を添付せずとも各部の折り曲げ態様を容易に把握することが可能であり、組立作業を一層容易化する要因となる。
さらに、第１プレート部および第２プレート部に切り込み線を設けておらず、無接合部分となる２つの面板部分によって収容部を画成するようにしているため、強度的にも十分であり、耐久性の点でも優れている。従って、例えばオブラートのようにパッケージに数百枚程度梱包されている場合にも、最後まで容器を繰り返し使用することが可能になる。
【図面の簡単な説明】
【図１】  本発明に係るオブラート容器を説明するため、本発明の構成を一部省略したオブラート容器を示したもので、（ａ）は展開した状態を示す斜視図、（ｂ）は通常状態を示す斜視図、（ｃ）は収容部を画成した状態を示す斜視図である。
【図２】  図１に示したオブラート容器を適用したオブラートのパッケージを示す斜視図である。
【図３】  本発明に係る容器の第１実施形態を示したもので、（ａ）は展開した状態を示す斜視図、（ｂ）は通常状態を示す斜視図、（ｃ）は収容部を画成した状態を示す斜視図である。
【図４】  従来の容器を示したもので、（ａ）は通常状態を示す平面図、（ｂ）は収容部を画成した状態を示す斜視図である。
【図５】  従来の容器を示したもので、（ａ）は通常状態を示す平面図、（ｂ）は収容部を画成した状態を示す斜視図である。
【符号の説明】
１０ 紙製プレート
１０′ オブラート支持容器
１０ａ 第１プレート部
１０ｂ 第２プレート部
１１ 中央折曲線
１２ 重合折曲線
１３ 補助折曲線
１４ 無接合部分
１５ オブラート収容部
２０ 紙製プレート
２０′ オブラート支持容器
２０ａ 第１プレート部
２０ｂ 第２プレート部
２１ 中央折曲線
２２ 重合折曲線
２２ａ，２２ｂ，２２ｃ 縁部
２３ 補助折曲線
２４ 無接合部分
２５ オブラート収容部
２６ 突出部
２７ 舌片
Ｅ 梱包容器
【図１】
0003677184.tif 000002
【図２】
0003677184.tif 000003
【図３】
0003677184.tif 000004
【図４】
0003677184.tif 000005
【図５】
0003677184.tif 000006